(57)【要約】【課題】搬送される通帳を検出するセンサによって磁気ストライプを検出することにより、構成を複雑にすることなく、磁気ストライプの貼（ちょう）付位置や貼付方向のタイプを判断することができ、無駄な磁気ストライプのリード又はライトを行う必要がなく、通帳の処理時間を短縮することができるようにする。【解決手段】搬送路２５内の通帳を搬送する搬送装置と、搬送される前記通帳を検出する通帳走行監視センサ１１と、前記通帳に貼付された磁気ストライプのリード又はライトを行う複数の磁気ヘッドとを有し、前記通帳走行監視センサ１１による磁気ストライプの検出結果に基づいて磁気ストライプの貼付態様を判断し、該磁気ストライプの貼付態様に対応する磁気ヘッドによって磁気ストライプのリード又はライトを行う位置にまで通帳を搬送する。【選択図】図１
2008226013.tif 000002
【特許請求の範囲】
【請求項１】
（ａ）搬送路内の通帳を搬送する搬送装置と、
（ｂ）搬送される前記通帳を検出する通帳走行監視センサと、
（ｃ）前記通帳に貼付された磁気ストライプのリード又はライトを行う複数の磁気ヘッドとを有し、
（ｄ）前記通帳走行監視センサによる磁気ストライプの検出結果に基づいて磁気ストライプの貼付態様を判断し、該磁気ストライプの貼付態様に対応する磁気ヘッドによって磁気ストライプのリード又はライトを行う位置にまで通帳を搬送することを特徴とする通帳取扱装置。
【請求項２】
前記磁気ストライプの貼付態様は、少なくとも、磁気ストライプが通帳の搬送方向と直交する方向に延在する第１の貼付態様及び磁気ストライプが通帳の搬送方向に延在する第２の貼付態様を含み、
前記磁気ヘッドは、少なくとも、第１の貼付態様に対応する第１の磁気ヘッド及び第２の貼付態様に対応する第２の磁気ヘッドを含む請求項１に記載の通帳取扱装置。
【請求項３】
前記通帳走行監視センサは、検出光を射出するとともに反射された検出光を受光する発光／受光センサを備え、
通帳の表紙によって反射された検出光の受光レベルと磁気ストライプの表面によって反射された検出光の受光レベルとの差に基づいて磁気ストライプを検出する請求項１に記載の通帳取扱装置。
【請求項４】
前記発光／受光センサを上下動可能に保持する上下可動機構を更に有し、
該上下可動機構は、通帳が発光／受光センサの上を覆っていない場合に該発光／受光センサを上昇させる請求項３に記載の通帳取扱装置。
【発明の詳細な説明】
【技術分野】
【０００１】
本発明は、通帳取扱装置に関するものである。
【背景技術】
【０００２】
従来、銀行、郵便局、信用金庫等の金融機関においては、預金通帳等の通帳に記帳するために通帳記帳機等の通帳取扱装置が使用されている。該通帳取扱装置においては、媒体としての通帳の所定位置に印字して記帳するために、開いた状態で挿入口から通帳取扱装置に挿入された通帳を、搬送路に配設された搬送ローラ等のローラによって印字部まで搬送する。なお、前記通帳取扱装置は、必ずしも独立して使用されるものではなく、例えば、利用者が、入金、出金、振込、残高照会等の金融取引を行うために、前記金融機関の支店、すなわち、営業店に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置に組み込まれて使用されることもある。
【０００３】
また、前記通帳の表又は裏の表紙には、顧客の口座番号、金融機関の支店番号等の情報が記録されている磁気ストライプが貼（ちょう）付されている。そして、前記通帳取扱装置の搬送路には、磁気ストライプに記録された情報を読み取ったり書き込んだりする磁気ストライプリーダ・ライタが配設されている（例えば、特許文献１参照。）。
【０００４】
ところで、通帳における磁気ストライプの貼付位置や貼付方向は、必ずしも統一されておらず、金融機関によって異なっている。そして、近年では、金融機関の統合等の影響によって、１つの通帳取扱装置で、様々な磁気ストライプ仕様の通帳を取り扱うケースが増加している。
【０００５】
しかし、磁気ストライプの貼付位置や貼付方向が異なる複数種類の通帳を取り扱う通帳取扱装置では、挿入された通帳の種類を判別することができないので、まず、いずれかの磁気ヘッドによって磁気ストライプのリードを行い、正常にリードができない場合には、磁気ストライプの貼付位置や貼付方向が該当するタイプの通帳でないと判断して、他の磁気ヘッドによって磁気ストライプのリードを行うようになっている。
【０００６】
図２は従来の通帳取扱装置の通帳処理の動作を示すフローチャートである。
【０００７】
まず、通帳取扱装置は、挿入口の近傍に配設された挿入検出センサがオンであるか否かの判断を繰り返し、挿入口から通帳が挿入されたか否かを判断する。そして、挿入検出センサがオンになると、通帳が挿入口から挿入されたと判断して、第１のＭＳタイプのリード位置に通帳を搬送する。ここで、ＭＳタイプとは、磁気ストライプの貼付位置や貼付方向のタイプのことである。
【０００８】
そして、通帳取扱装置は、第１のＭＳタイプのリードを行い、第１のＭＳタイプに対応する磁気ヘッドによって磁気ストライプのリードを行う。
【０００９】
続いて、通帳取扱装置は、磁気ストライプのリードを正常に行うことができたか否かを判断し、正常に行うことができた場合には、開いた状態で挿入された通帳の頁（ページ）マークのリード、行リード等の次の処理に移行して、磁気ストライプのリードの処理を終了する。
【００１０】
また、正常に行うことができなかった場合、通帳取扱装置は、第２のＭＳタイプのリード位置に通帳を搬送し、第２のＭＳタイプのリードを行い、第２のＭＳタイプに対応する磁気ヘッドによって磁気ストライプのリードを行う。
【００１１】
続いて、通帳取扱装置は、磁気ストライプのリードを正常に行うことができたか否かを判断し、正常に行うことができた場合には、開いた状態で挿入された通帳の頁マークのリード、行リード等の次の処理に移行して、磁気ストライプのリードの処理を終了する。
【００１２】
また、正常に行うことができなかった場合、通帳取扱装置は、通帳を返却して磁気ストライプのリードの処理を終了する。
【００１３】
次に、フローチャートについて説明する。
ステップＳ１  挿入検出センサがオンであるか否かの判断を繰り返し、挿入検出センサがオンになった場合はステップＳ２に進む。
ステップＳ２  第１のＭＳタイプのリード位置に通帳を搬送する。
ステップＳ３  第１のＭＳタイプのリードを行う。
ステップＳ４  正常にリードを行うことができたか否かを判断する。正常にリードを行うことができた場合はステップＳ８に進み、正常にリードを行うことができなかった場合はステップＳ５に進む。
ステップＳ５  第２のＭＳタイプのリード位置に通帳を搬送する。
ステップＳ６  第２のＭＳタイプのリードを行う。
ステップＳ７  正常にリードを行うことができたか否かを判断する。正常にリードを行うことができた場合はステップＳ８に進み、正常にリードを行うことができなかった場合はステップＳ９に進む。
ステップＳ８  頁マーク、行リード等の次の処理に移行し、処理を終了する。
ステップＳ９  通帳を返却し、処理を終了する。
【００１４】
また、通帳発行機能を有する通帳取扱装置においては、カセットに通帳をセットする際の裏表や上下向きの間違いを検出するために、通帳発行後に磁気ストライプのリード又はライトを行うようになっている。そして、正常にリード又はライトを行うことができない場合、通帳取扱装置は、通帳が正しい向きでないと判断し、発行した通帳を回収し、再度通帳を発行するようになっている。
【特許文献１】特開平８−７２０６号公報
【発明の開示】
【発明が解決しようとする課題】
【００１５】
しかしながら、前記従来の通帳取扱装置においては、無駄な磁気ストライプのリード又はライトを行う必要があるので、通帳の処理時間が長くなってしまう。
【００１６】
本発明は、前記従来の通帳取扱装置の問題点を解決して、搬送される通帳を検出するセンサによって磁気ストライプを検出することにより、構成を複雑にすることなく、磁気ストライプの貼付位置や貼付方向のタイプを判断することができ、無駄な磁気ストライプのリード又はライトを行う必要がなく、通帳の処理時間を短縮することができる通帳取扱装置を提供することを目的とする。
【課題を解決するための手段】
【００１７】
そのために、本発明の通帳取扱装置においては、搬送路内の通帳を搬送する搬送装置と、搬送される前記通帳を検出する通帳走行監視センサと、前記通帳に貼付された磁気ストライプのリード又はライトを行う複数の磁気ヘッドとを有し、前記通帳走行監視センサによる磁気ストライプの検出結果に基づいて磁気ストライプの貼付態様を判断し、該磁気ストライプの貼付態様に対応する磁気ヘッドによって磁気ストライプのリード又はライトを行う位置にまで通帳を搬送する。
【００１８】
本発明の他の通帳取扱装置においては、さらに、前記磁気ストライプの貼付態様は、少なくとも、磁気ストライプが通帳の搬送方向と直交する方向に延在する第１の貼付態様及び磁気ストライプが通帳の搬送方向に延在する第２の貼付態様を含み、前記磁気ヘッドは、少なくとも、第１の貼付態様に対応する第１の磁気ヘッド及び第２の貼付態様に対応する第２の磁気ヘッドを含む。
【００１９】
本発明の更に他の通帳取扱装置においては、さらに、前記通帳走行監視センサは、検出光を射出するとともに反射された検出光を受光する発光／受光センサを備え、通帳の表紙によって反射された検出光の受光レベルと磁気ストライプの表面によって反射された検出光の受光レベルとの差に基づいて磁気ストライプを検出する。
【００２０】
本発明の更に他の通帳取扱装置においては、さらに、前記発光／受光センサを上下動可能に保持する上下可動機構を更に有し、該上下可動機構は、通帳が発光／受光センサの上を覆っていない場合に該発光／受光センサを上昇させる。
【発明の効果】
【００２１】
本発明によれば、通帳取扱装置においては、搬送される通帳を検出するセンサによって磁気ストライプを検出するようになっている。これにより、構成を複雑にすることなく、磁気ストライプの貼付位置や貼付方向のタイプを判断することができ、無駄な磁気ストライプのリード又はライトを行う必要がなく、通帳の処理時間を短縮することができる。
【発明を実施するための最良の形態】
【００２２】
以下、本発明の実施の形態について図面を参照しながら詳細に説明する。
【００２３】
図１は本発明の第１の実施の形態における通帳取扱装置の概略図、図３は本発明の第１の実施の形態における第１のＭＳタイプの通帳の例を示す図、図４は本発明の第１の実施の形態における第２のＭＳタイプの通帳の例を示す図である。
【００２４】
図１において、１０は本実施の形態における通帳取扱装置であり、銀行、郵便局、信用金庫等の金融機関において、通帳３０に記帳するための通帳記帳機等である。なお、前記通帳取扱装置１０は、独立に構成されたものであってもよいし、前記金融機関の営業店等に配設されたＡＴＭ、ＣＤ等の自動取引装置のような他の装置の一部として構成されたものであってもよい。
【００２５】
そして、前記通帳取扱装置１０は、通帳３０を挿入する挿入口２６、該挿入口２６から奥に向けて延在し、内部を通帳３０が搬送される搬送路２５、並びに、該搬送路２５に沿って複数個配設された搬送装置としての搬送ローラ１７及びプレッシャローラ１８を有する。前記搬送ローラ１７は、ベルト、プーリ等を介して伝達される搬送モータ１９の駆動力を受けて回転し、搬送路２５の通帳３０を搬送する。なお、前記プレッシャローラ１８は、通帳３０を搬送ローラ１７に押圧する。
【００２６】
また、前記挿入口２６には、発光部１４ａ及び受光部１４ｂから成る挿入検出センサ１４が配設され、挿入された通帳３０を検出する。そして、前記挿入検出センサ１４よりも奥には、搬送ローラ１７によって搬送され、搬送路２５内を搬送される通帳３０を検出する通帳走行監視センサ１１が配設されている。該通帳走行監視センサ１１は、搬送路２５の上側に配設されたプリズム１１ａと、搬送路２５の下側に配設され、検出光を射出するとともに反射された検出光を受光する発光／受光センサ１１ｂとから成り、該発光／受光センサ１１ｂから射出された検出光は、プリズム１１ａによって反射され、再び、発光／受光センサ１１ｂに入射する。そして、通帳３０が通帳走行監視センサ１１を通過すると、前記検出光が通帳３０によって遮られるので、これにより、通帳走行監視センサ１１は通帳３０を検出することができる。
【００２７】
さらに、通帳走行監視センサ１１よりも奥には、第１の磁気ヘッドとしての第１のＭＳヘッド１５及び第２の磁気ヘッドとしての第２のＭＳヘッド１６が配設されている。前記第１のＭＳヘッド１５及び第２のＭＳヘッド１６は、それぞれ、第１のＭＳタイプ及び第２のＭＳタイプの通帳３０の磁気ストライプ３１に記録された情報を読み取ったり書き込んだり、すなわち、リード又はライトする磁気ストライプリーダ・ライタの磁気ヘッドである。
【００２８】
なお、前記磁気ストライプ３１は、通帳３０の表又は裏の表紙に貼付され、顧客の口座番号、金融機関の支店番号等の情報が記録される記憶手段である。そして、通帳３０における磁気ストライプ３１の貼付位置や貼付方向、すなわち、貼付態様には種々のタイプが存在するが、ここでは、説明の都合上、図３に示されるような第１の貼付態様としての第１のＭＳタイプと、図４に示されるような第２の貼付態様としての第２のＭＳタイプとについてのみ説明する。
【００２９】
第１のＭＳタイプの場合、磁気ストライプ３１は、通帳３０の表紙の折り目３２と平行な方向に延在し、表又は裏の表紙における前記折り目３２と反対側の長辺に沿うように貼付される。また、第２のＭＳタイプの場合、磁気ストライプ３１は、通帳３０の表紙の折り目３２と垂直な方向に延在し、表又は裏の表紙における前記折り目３２と垂直な短辺のいずれかに沿うように貼付される。なお、図３及び４において、通帳３０は、二つ折りに折り畳んだ状態ではなく、挿入口２６に挿入するために開いた状態となっている。
【００３０】
そして、前記第１のＭＳヘッド１５は、搬送路２５内における通帳３０の走行方向に対して垂直な方向（図１における図面に垂直な方向）、すなわち、搬送される通帳３０の幅方向（図３における横方向）に移動可能に配設されている。これにより、通帳３０の表紙の折り目３２と平行な方向、すなわち、搬送される通帳３０の幅方向に延在する磁気ストライプ３１のリード又はライトを行うことができる。
【００３１】
また、前記第２のＭＳヘッド１６は、搬送路２５内における通帳３０の走行方向（図１における横方向）、すなわち、搬送される通帳３０の前後方向（図３における縦方向）に移動可能に配設されている。これにより、通帳３０の表紙の折り目３２と垂直な方向、すなわち、搬送される通帳３０の前後方向に延在する磁気ストライプ３１のリード又はライトを行うことができる。
【００３２】
次に、前記構成の通帳取扱装置１０の動作について説明する。
【００３３】
図５は本発明の第１の実施の形態における通帳走行監視センサの受光レベルの変化を示す図、図６は本発明の第１の実施の形態における通帳取扱装置の通帳処理の動作を示すフローチャートである。なお、図５（ａ）は通帳と通帳走行監視センサの発光／受光センサとの位置関係の変化を示し、図５（ｂ）は発光／受光センサの受光レベルの変化を示す。そして、図５（ｂ）において、横軸に位置関係、縦軸に受光レベルを採ってある。
【００３４】
まず、金融機関の顧客、営業店の係員等が通帳取扱装置１０の挿入口２６に開いた状態の通帳３０を挿入する。ここで、通帳取扱装置１０は、挿入口２６に配設された挿入検出センサ１４がオンであるか否かの判断を繰り返し、挿入口２６から通帳３０が挿入されたか否かを判断する。そして、挿入検出センサ１４がオンになると、通帳３０が挿入口２６から挿入されたと判断し、搬送モータ１９を作動させて搬送ローラ１７を回転させ、通帳３０の搬送を開始する。これにより、通帳３０は、搬送路２５内に引き込まれ、第１のＭＳヘッド１５又は第２のＭＳヘッド１６によって磁気ストライプ３１のリード又はライトを行うための位置としてのＭＳリード位置までの搬送が開始される。なお、搬送路２５内を走行する通帳３０の位置は、挿入口２６の奥に配設された通帳走行監視センサ１１、及び、更にその奥に配設された図示されない他の通帳走行監視センサのオン・オフ情報に基づいて把握され、管理される。
【００３５】
そして、通帳取扱装置１０は、通帳走行監視センサ１１がオンであるか否かの判断を繰り返し、通帳走行監視センサ１１がオンになると、さらに、通帳走行監視センサ１１による第１のＭＳタイプの検出を開始し、第１のＭＳタイプであるか否かを判断する。
【００３６】
ここで、通帳走行監視センサ１１の発光／受光センサ１１ｂは、搬送路２５内を搬送される通帳３０の幅方向のほぼ中央に位置するように配設されている。そして、前記発光／受光センサ１１ｂは、該発光／受光センサ１１ｂから射出された後にプリズム１１ａによって反射された検出光を受光する。そのため、通帳３０の走行によって、発光／受光センサ１１ｂが図５（ａ）における矢印で示されるように、通帳３０に対して相対的に移動して、通帳３０の下に到達すると、プリズム１１ａによって反射された検出光を受光することができなくなるので、図５（ｂ）に示されるように、受光レベルが低下する。
【００３７】
したがって、発光／受光センサ１１ｂの受光レベルの低下によって、通帳３０が通帳走行監視センサ１１の位置に到達したことを検出することができる。この場合の閾（しきい）値は、図５（ｂ）に示されるようなスライスレベル１としてあらかじめ設定されており、発光／受光センサ１１ｂの受光レベルがスライスレベル１よりも低下すると、通帳３０が通帳走行監視センサ１１の位置に到達したとして、通帳走行監視センサ１１がオンになる。
【００３８】
そして、該通帳走行監視センサ１１がオンになった後、通帳３０が更に奥にまで搬送されると、発光／受光センサ１１ｂが通帳３０に対して相対的に移動して、磁気ストライプ３１の下に到達する。なお、図５に示される例においては、通帳３０の磁気ストライプ３１が第１のＭＳタイプとなっている。一般に、磁気ストライプ３１の表面は、通帳３０の表紙よりも光の反射率が高くなっている。そのため、磁気ストライプ３１の表面によって反射される発光／受光センサ１１ｂから射出された検出光の光量は、通帳３０の表紙によって反射される発光／受光センサ１１ｂから射出された検出光の光量よりも多くなる。
【００３９】
したがって、発光／受光センサ１１ｂが磁気ストライプ３１の下に到達すると、発光／受光センサ１１ｂの受光レベルが増加して、図５（ｂ）に示されるようなスライスレベル２よりも上昇する。なお、該スライスレベル２は、磁気ストライプ３１を検出するための閾値としてあらかじめ設定されている。また、スライスレベル２は、前記スライスレベル１よりは低くなるように設定されている。
【００４０】
そして、通帳取扱装置１０は、発光／受光センサ１１ｂの受光レベルがスライスレベル２よりも上昇すると、磁気ストライプ３１を検出したとして、第１のＭＳタイプであると判断する。これは、発光／受光センサ１１ｂが搬送路２５内を搬送される通帳３０の幅方向のほぼ中央に位置するように配設されているので、通帳３０の磁気ストライプ３１が図４に示されるような第２のＭＳタイプである場合には、発光／受光センサ１１ｂの受光レベルの変化によって磁気ストライプ３１を検出することができず、第１のＭＳタイプである場合にのみ受光レベルの変化によって磁気ストライプ３１を検出することができるからである。
【００４１】
第１のＭＳタイプであると判断すると、通帳取扱装置１０は、通帳３０を第１のＭＳタイプのリード位置、すなわち、第１のＭＳヘッド１５によって通帳３０の幅方向に延在する磁気ストライプ３１のリード又はライトを行うことができる位置にまで搬送する。そして、第１のＭＳタイプのリードを行い、第１のＭＳヘッド１５によって磁気ストライプ３１のリードを行う。
【００４２】
また、第１のＭＳタイプでないと判断すると、通帳取扱装置１０は、通帳３０を第２のＭＳタイプのリード位置、すなわち、第２のＭＳヘッド１６によって通帳３０の前後方向に延在する磁気ストライプ３１のリード又はライトを行うことができる位置にまで搬送する。そして、第２のＭＳタイプのリードを行い、第２のＭＳヘッド１６によって磁気ストライプ３１のリードを行う。
【００４３】
続いて、通帳取扱装置１０は、磁気ストライプ３１のリードを正常に行うことができたか否かを判断し、正常に行うことができた場合には、開いた状態で挿入された通帳３０の頁マークのリード、行リード等の次の処理に移行して、磁気ストライプ３１のリードの処理を終了する。
【００４４】
また、正常に行うことができなかった場合、通帳取扱装置１０は、通帳３０を返却して磁気ストライプ３１のリードの処理を終了する。
【００４５】
なお、通帳取扱装置１０が通帳３０を発行する機能を有する場合も、前述の動作と同様に、発行直後のセンサを配設し、該センサによって通帳３０の走行監視と同時に磁気ストライプ３１の貼付の有無を検出することにより、通帳３０の誤セットを検出することができる。
【００４６】
次に、フローチャートについて説明する。
ステップＳ１１  挿入検出センサ１４がオンであるか否かの判断を繰り返し、挿入検出センサ１４がオンになった場合はステップＳ１２に進む。
ステップＳ１２  通帳３０の搬送を開始する。
ステップＳ１３  通帳走行監視センサ１１がオンであるか否かの判断を繰り返し、通帳走行監視センサ１１がオンになった場合はステップＳ１４に進む。
ステップＳ１４  通帳走行監視センサ１１による第１のＭＳタイプの検出を開始する。
ステップＳ１５  第１のＭＳタイプであるか否かを判断する。第１のＭＳタイプである場合はステップＳ１６に進み、第１のＭＳタイプでない場合はステップＳ１８に進む。
ステップＳ１６  第１のＭＳタイプのリード位置に通帳３０を搬送する。
ステップＳ１７  第１のＭＳタイプのリードを行う。
ステップＳ１８  第２のＭＳタイプのリード位置に通帳３０を搬送する。
ステップＳ１９  第２のＭＳタイプのリードを行う。
ステップＳ２０  正常にリードを行うことができたか否かを判断する。正常にリードを行うことができた場合はステップＳ２１に進み、正常にリードを行うことができなかった場合はステップＳ２２に進む。
ステップＳ２１  頁マーク、行リード等の次の処理に移行し、処理を終了する。
ステップＳ２２  通帳３０を返却し、処理を終了する。
【００４７】
このように、本実施の形態においては、挿入口２６に挿入された通帳３０を磁気ストライプ３１のリード又はライトを行うことができる位置にまで搬送するまでの間に、磁気ストライプ３１が所定の位置に貼付されているか否かを判断することができるので、無駄な磁気ストライプ３１のリード又はライトを行う必要がなく、通帳３０の処理時間を短縮することができる。
【００４８】
また、磁気ストライプ３１の貼付されている位置を検出するためのセンサを配設することなく、通帳走行監視センサ１１を利用するので、通帳取扱装置１０の構成を複雑にすることなく、コストを低減することができる。
【００４９】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５０】
図７は本発明の第２の実施の形態における通帳走行監視センサの状態を示す第１の図、図８は本発明の第２の実施の形態における通帳走行監視センサの状態を示す第２の図である。
【００５１】
前記第１の実施の形態においては、発光／受光センサ１１ｂによって磁気ストライプ３１の表面により反射される検出光の光量の変化を検出するために、発光／受光センサ１１ｂの位置を下げているので、通帳３０の表紙に光を反射するシール等が貼（は）られていたりして、通帳３０の表紙によって反射される検出光の光量が大きくなると、通帳３０が通帳走行監視センサ１１の位置に到達したことを正確に検出することができなくなる可能性が考えられる。
【００５２】
そこで、本実施の形態においては、図７及び８に示されるように、発光／受光センサ１１ｂを上下動可能に保持する上下可動機構２２が配設されている。この場合、発光／受光センサ１１ｂは、図示されないガイド部材に沿って上下方向にスライドすることができる。そして、前記発光／受光センサ１１ｂは、通常は、その上端面が搬送路２５の下面とほぼ同等の高さとなるように、コイルスプリング等から成る付勢部材２３によって上方に付勢されている。
【００５３】
また、前記発光／受光センサ１１ｂには、略コ字状の形状を備える間隔保持部材２４が揺動可能に取り付けられている。該間隔保持部材２４は、搬送路２５内における通帳３０の搬送方向に関して発光／受光センサ１１ｂの前後に位置して上方に延出する当接部２４ａを２つ備える。
【００５４】
そして、図７に示されるように、挿入口２６から挿入された通帳３０の前端が発光／受光センサ１１ｂの上方を通過するまで、発光／受光センサ１１ｂの上端面は搬送路２５の下面とほぼ同等の高さとなっている。そのため、プリズム１１ａによって反射された検出光を受光することができなったことによる受光レベルの低下を正確に検出することができ、これにより、通帳３０が通帳走行監視センサ１１の位置に到達したことを正確に検出することができる。
【００５５】
また、図８に示されるように、通帳３０が更に搬送され、該通帳３０の前端が発光／受光センサ１１ｂの後に位置する当接部２４ａの上に到達して通帳３０の表面が２つの当接部２４ａに当接すると、すなわち、通帳３０が発光／受光センサ１１ｂの上を覆うようになると、該発光／受光センサ１１ｂは、間隔保持部材２４を介して、矢印で示されるように、下向きの付勢力を通帳３０から受ける。これにより、発光／受光センサ１１ｂは、下方に移動し、磁気ストライプ３１の表面によって反射される検出光の光量の変化を正確に検出することができる。
【００５６】
このように、本実施の形態においては、発光／受光センサ１１ｂを上下動可能とし、通帳３０が発光／受光センサ１１ｂの上を覆っていない場合には発光／受光センサ１１ｂが上昇するようになっている。そのため、通帳３０が通帳走行監視センサ１１の位置に到達したことをより正確に検出することができる。
【００５７】
なお、本実施の形態においては、発光／受光センサ１１ｂを上下させる上下可動機構２２を配設する場合について説明したが、発光／受光センサ１１ｂ間に仕切り板を配設し、該仕切り板を上下させるような機構にしてもよい。
【００５８】
また、前記第１及び第２の実施の形態においては、磁気ストライプ３１の表面によって反射される検出光の光量の変化を検出する場合について説明したが、通帳３０の種類を識別する目的で反射率の高いシール等を通帳３０に貼付し、前記シールの有無を検出するようにしてもよい。
【００５９】
なお、本発明は前記各実施の形態に限定されるものではなく、本発明の趣旨に基づいて種々変形させることが可能であり、それらを本発明の範囲から排除するものではない。
【図面の簡単な説明】
【００６０】
【図１】本発明の第１の実施の形態における通帳取扱装置の概略図である。
【図２】従来の通帳取扱装置の通帳処理の動作を示すフローチャートである。
【図３】本発明の第１の実施の形態における第１のＭＳタイプの通帳の例を示す図である。
【図４】本発明の第１の実施の形態における第２のＭＳタイプの通帳の例を示す図である。
【図５】本発明の第１の実施の形態における通帳走行監視センサの受光レベルの変化を示す図である。
【図６】本発明の第１の実施の形態における通帳取扱装置の通帳処理の動作を示すフローチャートである。
【図７】本発明の第２の実施の形態における通帳走行監視センサの状態を示す第１の図である。
【図８】本発明の第２の実施の形態における通帳走行監視センサの状態を示す第２の図である。
【符号の説明】
【００６１】
１０    通帳取扱装置
１１    通帳走行監視センサ
１１ｂ    発光／受光センサ
１５    第１のＭＳヘッド
１６    第２のＭＳヘッド
１７    搬送ローラ
１８    プレッシャローラ
２２    上下可動機構
２５    搬送路
３０    通帳
３１    磁気ストライプ
【図１】
2008226013.tif 000003
【図２】
2008226013.tif 000004
【図３】
2008226013.tif 000005
【図４】
2008226013.tif 000006
【図５】
2008226013.tif 000007
【図６】
2008226013.tif 000008
【図７】
2008226013.tif 000009
【図８】
2008226013.tif 000010